(57)【要約】【課題】レンズユニットの交換時にカメラボディ内への塵埃の侵入を防止する。【解決手段】レンズユニットがカメラボディに取り付けられていない状態では、第１及び第２捩りバネ４４、４５の付勢力により開口部カバー３１は閉塞位置で撮影開口２５を閉塞している。バヨネット爪１１、１２が挿入位置からロック位置に回転されると、バヨネット爪１１、１２の側面は接続部材４０、４１と摺接し、上板３２を上方へ、下板３３を下方へ移動させ、開口部カバー３１は閉塞位置から開放位置に移動する。バヨネット爪１１、１２がロック位置から挿入位置に回転されると、第１及び第２捩りバネ４４、４５の付勢力により、開口部カバー３１は開放位置から閉塞位置に移動する。よって、レンズユニットの交換時にカメラボディ内に塵埃が侵入することを防止できる。【選択図】図３
2008015017.tif 000002
【特許請求の範囲】
【請求項１】
着脱自在のレンズユニットをカメラボディに装着して使用するレンズ交換式カメラにおいて、
前記カメラボディに設けられ、前記レンズユニットからの光を前記カメラボディ内部に入射させるための撮影開口を閉塞する閉塞位置、および前記撮影開口を開放する開放位置の間で移動自在な開口部カバーと、
前記レンズユニットの前記カメラボディへの取り付けに伴って、前記開口部カバーを前記閉塞位置から前記開放位置に移動させ、前記レンズユニットの取り外しに伴って、前記開口部カバーを前記開放位置から前記閉塞位置に移動させるカバー移動機構とを備えたことを特徴とするレンズ交換式カメラ。
【請求項２】
着脱自在のレンズユニットをカメラボディに装着して使用するレンズ交換式カメラにおいて、
前記カメラボディに設けられ、前記レンズユニットからの光を前記カメラボディ内部に入射させるための撮影開口を閉塞する閉塞位置、および前記撮影開口を開放する開放位置の間で移動自在な開口部カバーと、
前記カメラボディに取り付けられた前記レンズユニットを検出する検出手段と、
前記検出手段によって、前記レンズユニットが検出された時に、前記開口部カバーを前記閉塞位置から前記開放位置に移動させ、前記レンズユニットが検出されなくなった時に前記開口部カバーを前記開放位置から前記閉塞位置に移動させる駆動手段とを備えたことを特徴とするレンズ交換式カメラ。
【請求項３】
前記検出手段の検出結果に関わりなく、前記駆動手段を駆動させて前記開口部カバーを前記閉塞位置または前記開放位置のいずれかに移動させる選択手段を備えたことを特徴とする請求項２記載のレンズ交換式カメラ。
【請求項４】
着脱自在のレンズユニットをカメラボディに装着して使用するレンズ交換式カメラにおいて、
前記レンズユニットからの光を前記カメラボディ内部に入射させるための撮影開口を閉塞する透明な開口部カバーを前記カメラボディに設けたことを特徴とするレンズ交換式カメラ。
【発明の詳細な説明】
【技術分野】
【０００１】
本発明は、レンズユニットがカメラボディに着脱可能とされたレンズ交換式カメラに関するものである。
【背景技術】
【０００２】
近年、ＣＣＤイメージセンサなどの撮像素子を用いて画像を撮影するデジタルカメラが普及しており、カメラボディにレンズユニットを着脱自在とされたレンズ交換式のデジタルカメラも数多く提供されている。レンズ交換式のデジタルカメラは、カメラボディにレンズユニットを取り付けるためのマウント部を備えている。このマウント部の中央には、レンズユニットからの被写体光をカメラボディ内に入射させる撮影開口が設けられている。レンズユニットの交換時にカメラボディから取り外すと、撮影開口からカメラボディ内部が露呈する。そのため、撮影開口から侵入した塵埃がカメラボディ内に配置された撮像素子の受光面に付着すると、撮影画像の画質が劣化するという問題があった。よって、ユーザはレンズユニットを交換する際には、撮影開口から塵埃が入らないように注意しながら、迅速に交換作業を行う必要があった。
【０００３】
また、特許文献１には、撮影光学系を繰出位置と繰込位置の間で変位可能な撮影光学系を備えたカメラが記載されており、防塵カバーを閉じ位置に向けて移動させた時に撮影光学系を繰込位置に移動させ、撮影光学系を開き位置に向けて移動させた時には撮影光学系を繰出位置に移動させ、閉じ位置にある防塵カバーは撮影光学系を覆って塵埃が付着することを防止している。
【特許文献１】特開平６−１６７６７０号公報
【発明の開示】
【発明が解決しようとする課題】
【０００４】
しかしながら、レンズユニットの交換は、撮影目的に応じて適宜に行われるので、塵埃が舞い散る交換条件の悪い室内や屋外で行われることもある。そのため、ユーザがレンズユニットの交換をいくら迅速に行っても、交換時には撮影開口からカメラボディ内に塵埃が侵入するという問題がある。また、特許文献１に記載のカメラは、レンズ交換式のカメラではなく、撮影光学系に塵埃が付着することを防止するが、カメラボディ内に塵埃が侵入することを防止するものではない。
【０００５】
本発明は、上記課題を解決するためになされたものであり、レンズユニットを交換する時に、カメラボディ内への異物の侵入を防止するレンズ交換式カメラを提供することを目的とする。
【課題を解決するための手段】
【０００６】
請求項１記載のレンズ交換式カメラは、前記カメラボディに設けられ、前記レンズユニットからの光を前記カメラボディ内部に入射させるための撮影開口を閉塞する閉塞位置、および前記撮影開口を開放する開放位置の間で移動自在な開口部カバーと、前記レンズユニットの前記カメラボディへの取り付けに伴って、前記開口部カバーを前記閉塞位置から前記開放位置に移動させ、前記レンズユニットの取り外しに伴って、前記開放位置から前記閉塞位置に移動させるカバー移動機構とを備えたことを特徴とするものである。
【０００７】
また、請求項２記載のレンズ交換式カメラは、前記カメラボディに設けられ、前記レンズユニットからの光を前記カメラボディ内部に入射させるための撮影開口を閉塞する閉塞位置、および前記撮影開口を開放する開放位置の間で移動自在な開口部カバーと、前記カメラボディに取り付けられた前記レンズユニットを検出する検出手段と、前記検出手段によって、前記レンズユニットが検出された時に、前記開口部カバーを前記閉塞位置から前記開放位置に移動させ、前記レンズユニットが検出されなくなった時に前記開口部カバーを前記開放位置から前記閉塞位置に移動させる駆動手段とを備えたことを特徴とするものである。また、前記検出手段の検出結果に関わりなく、前記駆動手段を駆動させて前記開口部カバーを前記閉塞位置または前記開放位置のいずれかに移動させる選択手段を備えてもよい。
【０００８】
また、請求項３記載のレンズ交換式カメラは、前記レンズユニットからの光を前記カメラボディ内部に入射させるための撮影開口を閉塞する透明な開口部カバーを前記カメラボディに設けたことを特徴とするものである。
【発明の効果】
【０００９】
請求項１記載のレンズ交換式カメラは、カメラボディに設けられ、レンズユニットからの光をカメラボディ内部に入射させるための撮影開口を閉塞する閉塞位置、および撮影開口を開放する開放位置の間で移動自在な開口部カバーと、前レンズユニットのカメラボディへの取り付けに伴って、開口部カバーを閉塞位置から開放位置に移動させ、レンズユニットの取り外しに伴って、開放位置から閉塞位置に移動させるカバー移動機構とを備えたので、レンズユニットの交換時に開口部カバーから塵埃が侵入することを防止できる。
【００１０】
また、請求項２記載のレンズ交換式カメラは、カメラボディに設けられ、レンズユニットからの光をカメラボディ内部に入射させるための撮影開口を閉塞する閉塞位置、および撮影開口を開放する開放位置の間で移動自在な開口部カバーと、カメラボディに取り付けられたレンズユニットを検出する検出手段と、検出手段によって、レンズユニットが検出された時に、開口部カバーを閉塞位置から開放位置に移動させ、レンズユニットが検出されなくなった時に開口部カバーを開放位置から閉塞位置に移動させる駆動手段とを備えたので、レンズユニットがカメラボディに取り付けられてから撮影開口が開放されるので、レンズユニットの交換時に塵埃が侵入することを防止できる。
【００１１】
また、検出手段の検出結果に関わりなく、駆動手段を駆動させて開口部カバーを閉塞位置または開放位置のいずれかに移動させる選択手段を備えたので、カメラボディ内のメンテナンスを容易に行うことができる。
【００１２】
また、請求項３記載のレンズ交換式カメラは、レンズユニットからの光をカメラボディ内部に入射させるための撮影開口を閉塞する透明な開口部カバーをカメラボディに設けたので、カメラボディ内部が密閉され、レンズユニット交換時にカメラボディ内に塵埃や水滴などの侵入を防止することができる。開口部カバーの表面に付着した塵埃を容易に除去することができる。
【発明を実施するための最良の形態】
【００１３】
本発明のレンズ交換式カメラとして、一眼レフタイプのデジタルカメラを用いて説明する。図１及び図２に示すように、デジタルカメラ２はカメラボディ５と、このカメラボディ５に着脱自在のレンズユニット６から構成されている。図２に示すように、レンズユニット６は、後端にレンズマウント部８を有し、そのレンズマウント部８をカメラボディ５の前面に設けたボディマウント部９に係止される。マウント結合は、レンズユニット６を撮影光軸と平行な方向に移動してレンズマウント部８をボディマウント部９に嵌合し、その後は、レンズユニット６を所定方向に所定角度だけ回転させることで成される。このようなマウント部同士の結合としては、周知のネジ式のスクリューマウントや、複数の爪をもつバヨネットマウントなどを採用することができる。レンズユニット６は、焦点距離のことなるものが多数用意されている。なお、図１はカメラボディ５にレンズユニット６を取り付けた状態を、図２はカメラボディ５にレンズユニット６を取り外した状態を示す。
【００１４】
レンズユニット６は、円筒形状のレンズ鏡筒１０の内部に複数のレンズ群で構成された撮影光学系が配されている。レンズ鏡筒１０には、周知のカム機構やヘリコイド機構が設けられており、カメラボディ５からの指示により撮影光学系を構成するフォーカスレンズを撮影光軸方向に移動させて焦点調整を行う。また、レンズユニット６の後端に設けられたレンズマウント部８には、２つのバヨネット爪１１、１２と３つの接続端子１３が設けられている。なお、本実施形態では、レンズマウント部８に２つのバヨネット爪１１、１２と３つの接続端子１３を設けているが、これに限るものではなく、バヨネット爪１１、１２および接続端子１３の個数は適宜に設定することが好ましい。
【００１５】
カメラボディ５は、薄型の略直方体形状、またはペンタプリズムタイプ形状（従来の一眼レフ）に形成され、その上面には、電源ボタン１５、撮影モードを選択するモードダイヤル１６、レリーズボタン１７が設けられている。また、一方の側面には、メモリカードが着脱されるメモリカードスロットが設けられており、メモリカードスロットは蓋１９によって覆われている。また、図示しないが、カメラボディ５の背面には、液晶ディスプレイ（ＬＣＤ）、ズームボタンや十字ボタンなどの操作部、接眼ファインダが設けられている。
【００１６】
カメラボディ５の前面には、図２に示すように、レンズユニット６が着脱されるボディマウント部９とストロボ発光部２０が設けられている。ボディマウント部９には、バヨネット溝２１，２２、接続端子２３、撮影開口２５、開口部カバー３１が設けられている。バヨネット溝２１、２２は、バヨネット爪１１、１２に対応するようにボディマウント部９に配置されており、図３に示すように、バヨネット爪１１、１２を挿入する挿入開口２１ａ、２２ａと、この挿入開口２１ａ、２２ａに受け入れたバヨネット爪１１、１２を正面視で時計回りに所定角度だけ回転させた時に、バヨネット爪１１、１２を固定するスロット２１ｂ、２２ｂとから構成されている。
【００１７】
レンズユニット６が回転され、バヨネット爪１１、１２が図３に示す挿入位置から図４に示すロック位置に移動されると、レンズユニット６がカメラボディ５に固定される。このように、レンズユニット６がカメラボディ５に取り付けると、接続端子２３はレンズマウント部８に設けられた３つの接続端子１３と当接し、カメラボディ５とレンズユニット６とが電気的に接続される。
【００１８】
撮影開口２５は、ボディマウント部９の中央に矩形状で形成されており、レンズユニット６からの被写体光をカメラボディ５内に入射させる。カメラボディ５内で、かつ撮影開口２５の後には、図２に示すように、撮像素子であるＣＣＤイメージセンサ３０が配置されている。また、カメラボディ５には、撮影開口２５を閉塞する閉塞位置と開放する開放位置に移動可能な開口部カバー３１が設けられている。開口部カバー３１は、図３および図４に示すように、カバー移動機構３５によって閉塞位置と開放位置に移動される。なお、撮影開口２５を矩形状に形成したが、撮影開口２５の形状はこれに限らずに円形状でもよい。
【００１９】
開口部カバー３１は、図３に示すように２組の上板３２と下板３３から構成されている。上板３２の下面３２ａは凸形状をしており、下板３３の上面３３ａは凹形状をしている。開口部カバー３１は、上板３２の下面３２ａと下板３３の上面３３ａとを嵌合させ、かつカメラボディ５の内部から上板３２および下板３３の前面で撮影開口２５を閉塞する閉塞位置（図３参照）と、上板３２を撮影開口２５の上方に、下板３３を撮影開口２５の下方に移動させ、撮影開口２５を開放する開放位置（図４参照）との間で移動自在である。
【００２０】
図３および図４に示すように、カバー移動機構３５は、当接部材４０、４１、ガイド４２、ガイドローラ４３、第１および第２捩りバネ４４、４５で構成されている。上板３２には当接部材４０が、下板３３には当接部材４１が設けられている。当接部材４０の一端は上板３２の左側の側面に固定されており、他端はバヨネット溝２１の裏側に配置されている。また、当接部材４１の一端は下板３３の右側の側面に固定されており、他端はバヨネット溝２２の裏側に配置されている。これにより、バヨネット爪１１、１２が挿入開口２１ａ、２２ａに挿入された後、レンズユニット６が正面視で時計回りに所定角度回転されると、バヨネット爪１１、１２の側面が当接部材４０、４１に摺接する。
【００２１】
ガイド４２は、上板３２と下板３３の上下方向への移動を案内する。ガイド４２は、上板３２および下板３３の移動方向とその長手方向が平行になるように、上板３２および下板３３の両側に配置されている。上板３２および下板３３の両側面に設けられたガイドローラ４３は、ガイド４２の長手方向に沿って設けられたガイド溝（図示せず）に嵌め込まれており、上板３２および下板３３の上下方向への移動を案内するとともに、光軸方向への移動を規制している。
【００２２】
第１捩りバネ４４は、その一端はカメラボディ５のフレーム４７に固定され、他端は上板３２の上面に固定されている。また、第２捩りバネ４５は、その一端はフレーム４７に固定され、他端は下板３３の下面に固定されている。よって、第１捩りバネ４４は上板３２を下板３３に向けて、第２捩りバネ４５は下板３３を上板３２に向けて付勢する。これにより、カメラボディ５にレンズユニット６が取り付けられていない場合には、第１および第２捩りバネ４４、４５の付勢力によって開口部カバー３１が閉塞位置（図３参照）で撮影開口２５を閉塞する。
【００２３】
次に、上記構成の作用を説明する。図２に示すように、カメラボディ５にレンズユニット６が取り付けられていない状態では、開口部カバー３１は閉塞位置で撮影開口２５を閉塞している（図３参照）。レンズユニット６をカメラボディ５に取り付ける場合、バヨネット爪１１、１２を挿入開口２１ａ、２２ａに挿入し、レンズユニット６を正面視で時計周りに回転させる。この回転により、バヨネット爪１１、１２は、挿入位置からロック位置に移動する。この時、バヨネット爪１１、１２の側面を当接部材４０、４１に摺接させながら移動する。ガイド４２は、上板３２および下板３３が当接部材４０、４１から受ける回転方向の力を規制して、上板３２は上方へ、下板３３は下方へと直線方向に案内する。これにより、バヨネット爪１１、１２がロック位置まで回転すると、第１および第２捩りバネ４４、４５の付勢力に抗して、上板３２および下板３３は閉塞位置から図４に示す開放位置に移動する。従って、レンズユニット６に設けられた撮影光学系からの被写体光は、撮影開口２５を介してカメラボディ５に設けられたＣＣＤイメージセンサ３０の受光面に入射される。
【００２４】
このように、レンズユニット６の取り付けに伴って、開口部カバー３１を閉塞位置から開放位置に移動させることができるので、高い利便性を得ることができる。さらに、レンズユニット６がカメラボディ５に取り付けられている場合には、確実に撮影開口２５が開放されているので、開口部カバー３１を閉塞位置のまま撮影するという失敗も防止できる。
【００２５】
また、レンズユニット６をカメラボディ５から取り外す場合、レンズユニット６を正面視で反時計回りに回転させる。この時、当接部材４０、４１は第１および第２捩りバネ４４、４５の付勢力によってバヨネット爪１１、１２の側面に押圧されている。これにより、上板３２は下方へ、下板３３は上方へ移動する。これにより、バヨネット爪１１、１２をロック位置から挿入位置に回転させると、開口部カバー３１は開放位置から閉塞位置に移動する。したがって、閉塞位置では、上板３２の下面３２ａと下板３３の上面３３ａは、その凹凸形状を嵌合させ、上板３２および下板３３の前面で撮影開口２５を閉塞している。
【００２６】
これにより、レンズユニット６がカメラボディ５から取る外される際には、撮影開口２５は開口部カバー３１によって閉塞されているので、レンズユニット６の交換作業中にカメラボディ５の内部に塵埃が侵入することを防止できる。また、上板３２の下面３２ａおよび下板３３の上面３３ａは凹凸形状をしており、開口部カバー３１が閉塞位置の時には凹凸形状が嵌合するので、上板３２と下板３３の隙間から塵埃が侵入することを防止できる。また、上板３２および下板３３に設けられたガイドローラ４３は、ガイド溝に嵌め込まれているので、開口部カバー３１が閉塞位置の時にレンズユニット６側から押されても、撮影開口２５と開口部カバー３１に隙間が発生することはなく、撮影開口２５を閉塞いている。
【００２７】
上記実施形態では、レンズユニット６を着脱する際に、レンズユニット６の回転に伴って開口部カバー３１を閉塞位置と開放位置とに移動させるレンズ移動機構３５を用いたが、これに代えて、レンズユニット６が装着されたことを検出するセンサを設け、このセンサからの検出信号に基づいて、開口部カバー３１を閉塞位置と開放位置とに移動させてもよい。この場合のレンズ交換式カメラの構成を図５〜図７に示す。なお、上記実施形態と同じ構成部材は同一の符号を付し、その説明は省略する。
【００２８】
図５に示すように、カメラボディ５の前面には、レンズユニット６が装着されたことを検出してから開口部カバー３１を開放位置に移動させる自動モードと、ユーザの選択により開口部カバー３１を強制的に閉塞位置または開放位置に移動させる手動モードの切り替えを行う切替スイッチ（選択手段）５０が設けられている。以後、切替スイッチ５０によって図５に示す「自」（自動モード）が選択されている場合を前提に説明する。
【００２９】
図６に示すように、ボディマウント部９の裏側には、開口部カバー３１および開口部カバー３１を閉塞位置と開放位置に移動させるカバー移動機構５１が設けられている。カバー移動機構５１は、タイミングベルト５３、ベルトギア５４、駆動モータ５５などから構成されている。
【００３０】
上板３２および下板３３の両側の上方と下方の４ヶ所にベルトギア５４が配置されている。上方に配置されたベルトギア５４にタイミングベル５３の一端が、下方に配置されたベルトギア５４にタイミングベルト５３の他端が掛けられており、タイミングベルト５３はカメラボディ５の上下方向に長いループ状に配置されている。タイミングベルト５３はゴム等の柔軟な材質が用いられており、内面側に一定ピッチの歯列が設けられており、ベルトギア５４の歯列と嵌合している。また、ベルトギア５４には、タイミングベルト５３がベルトギア５４から外れないように図中実線で示すフランジが設けられている。
【００３１】
上板３２の両側面には接続部６０が、下板３３の両側面には接続部６１が設けられている。接続部６０は略矩形状をしており、開口部カバー３１に対して近い側に配置されたタイミングベルト５３に固定されている。また、接続部６１は略Ｌ字形状をしており、開口部カバー３１に対して近い側に配置されたタイミングベルト５３と接触しないように、開口部カバー３１に対して遠い側に配置されたタイミングベルト５３に固定されている。なお、接続部６０、６１の形状はこれに限るものではない。また、接続部６０、６１とタイミングベルト５３とは、ビスや接着剤など周知の方法で固定すればよい。
【００３２】
カメラボディ５の中央部右下には、駆動モータ５５が設けられている。駆動モータ５５の回転軸には駆動ギア６５が設けられている。駆動ギア６５は、ベルトギア５４に設けられた伝達ギア６６と嵌合しており、駆動モータ５５を回転させると駆動ギア６５、伝達ギア６６、ベルトギア５４を介してタイミングベルト５３が回転される。この時、接続部６０、６１がタイミングベルト５３に固定されているので、図６に示す矢印Ａの方向に駆動モータ５５を回転させると、上板３２は上方へ、下板３３は下方へ移動する。また、図７に示す矢印Ｂの方向に駆動モータ５５を回転させると、上板３２は下方へ、下板３３は上方へ移動する。また、図の煩雑化するのを防ぐために図示しないが、上板３２および下板３３の移動範囲に、上板３２および下板３３の両側面および背面に当接するＬ字形状のガイドが設けられている。このガイドにより、上板３２および下板３３の左右方向、および光軸方向への移動が規制される。従って、開口部カバー３１が閉塞位置の時に、上板３２および下板３３の前面により撮影開口２５が閉塞される。
【００３３】
カメラボディ５には、レンズユニット６が取り付けられたことを検出する装着検出センサ６７が設けられている。装着検出センサ６７は、例えば、小型のリミットスイッチや近接センサなどが用いられる。装着検出センサ６７は、挿入位置からロック位置に移動したバヨネット爪１２を検出する。
【００３４】
さらに、カメラボディ５には、閉塞位置および開放位置で開口部カバー３１を検出する閉塞位置検出センサ６８、および開放位置検出センサ６９が設けられている。閉塞位置検出センサ６８および開放位置検出センサ６９は、装着検出センサ６７と同様に小型のリミットスイッチや近接センサなどが用いられる。閉塞位置検出センサ６８および開放位置検出センサ６９は、下板３３に設けられた接続部６１を検出することで、開口部カバー３１が閉塞位置または開放位置に移動したことを検出している。なお、本実施形態では、閉塞位置検出センサ６８および開放位置検出センサ６９は接続部６１を検出しているが、これに限らず、開口部カバー３１が閉塞位置または開放位置にあることを検出できる検出位置であればよい。
【００３５】
次に、開口部カバー３１を閉塞位置と開放位置に移動させた際の電気的構成を説明する。図８に示すように、制御部７０は、デジタルカメラ２の各部を統括的に制御する。制御部７０には、切替スイッチ５０、駆動モータ５５、装着検出センサ６７、閉塞位置検出センサ６８、開放位置検出センサ６９が接続されている。
【００３６】
切替スイッチ５０によって自動モードが選択されると、制御部７０は予め設定されている自動モードのプログラムに従って各部を制御する。切替スイッチ５０によって「開」または「閉」で示す手動モードが選択されると、制御部７０は強制的に駆動モータ５５を駆動制御し、「開」が選択された場合には開口部カバー３１を開放位置に、「閉」が選択された場合には、開口部カバー３１を閉塞位置に移動させる。なお、開口部カバー３１が予め「開」が選択された際に開口部カバー３１が開放位置にある場合には、駆動モータ５５は駆動されない。また、「閉」の場合も同様である。
【００３７】
装着検出センサ６７は、バヨネット爪１２が図６に示す挿入位置から図７に示すロック位置に回転された際に、バヨネット爪１２がロック位置にあることを検出し、制御部７０に装着信号を入力する。制御部７０は、装着信号によってレンズユニット６がカメラボディ５に取り付けられているか否かを判別する。
【００３８】
閉塞位置検出センサ６８は、図６に示すように、開口部カバー３１が閉塞位置にある時に接続部６１を検出し、制御部７０に第１検出信号を入力する。制御部７０は、入力された第１検出信号に基づいて、開口部カバー３１が閉塞位置にあることを判別する。
【００３９】
開放位置検出センサ６９は、図７に示すように、開口部カバー３１が開放位置にある時に接続部６１を検出し、制御部７０に第２検出信号を入力する。制御部７０は、入力された第２検出信号に基づいて、開口部カバー３１が開放位置にあることを判別する。
【００４０】
駆動モータ５５は、制御部７０によって駆動制御されている。駆動モータ５５は、図６に示す矢印Ａの方向に駆動ギア６５を回転させることで、開放部カバー３１を閉塞位置から開放位置に移動させ、図７に示す矢印Ｂの方向に駆動ギア６５を回転させることで、開放部カバー３１を開放位置から閉塞位置に移動させる。
【００４１】
次に、上記構成の作用について説明する。図５に示すように、デジタルカメラ２を使用する際には、切替スイッチ５０を自動モードに設定しておく。そして、レンズユニット６がカメラボディ５に取り付けられていない状態では、開口部カバー３１は閉塞位置で撮影開口２５を閉塞しており、制御部７０には閉塞位置検出センサ６８から第１信号が入力されている。
【００４２】
レンズユニット６がカメラボディ５に取り付けられ、バヨネット爪１２が挿入位置からロック位置に移動すると、装着検出センサ６７はバヨネット爪１２を検出し、制御部７０に装着信号を入力する。これにより、制御部７０はレンズユニット６がカメラボディ５に取り付けられたことを判別し、制御部７０は駆動モータ５５を駆動制御する。
【００４３】
制御部７０は、駆動モータ５５を図６に示す矢印Ａの方向に回転させる。これにより、接続部６０、６１を介してタイミングベルト５３に固定されている上板３２は上方に、下板３３は下方に移動する。そして、上板３２および下板３３が閉塞位置から開放位置まで移動すると、開放位置検出センサ６９が接続部６１を検出し、制御部７０に第２検出信号を入力する。制御部７０は、第２検出信号が入力されると駆動モータ５５の回転を停止させる。このように、レンズユニット６がカメラボディ５に取り付けられてから、開口部カバー３１が閉塞位置から開放位置に移動するので、レンズユニット６の交換時にカメラボディ５の内部に塵埃が侵入することを防止することができる。
【００４４】
また、レンズユニット６をカメラボディ５から取り外す際に、レンズユニット６が正面視で反時計回りに回転されると、バヨネット爪１２がロック位置から挿入位置に移動する。この時、装着検出センサ６７はバヨネット爪１２を検出できなくなり、制御部７０に装着信号が入力されなくなる。これにより、制御部７０はレンズユニット６がカメラボディ５から取り外されたと判別し、駆動モータ５５を駆動制御する。
【００４５】
制御部７０は、駆動モータ５５を図７に示す矢印Ｂの方向に回転させる。これにより、上板３２は下方に、下板３３は上方に移動する。この時、開口部カバー３１が開放位置から閉塞位置まで移動すると、閉塞位置検出センサ６８が接続部６１を検出し、制御部７０に第１検出信号を入力する。制御部７０は、第１検出信号が入力されると駆動モータ５５の回転を停止させる。これにより、レンズユニット６がカメラボディ５から取り外される前に、撮影開口２５が開口部カバー３１によって閉塞されるので、レンズユニット６を取り外した際に、撮影開口２５からカメラボディ５の内部に塵埃が侵入することを防止することができる。
【００４６】
また、デジタルカメラ２には、開口部カバー３１の閉塞位置と開放位置への移動を自動または手動のいずれかに選択可能な切替スイッチ５０を備えたので、カメラボディ５のメンテナンスを行う時に切替スイッチ５０を手動にして開口部カバー３１を開放位置に移動させることができる。よって、作業性が向上した。
【００４７】
また、上記各実施形態では、ボディマウント部９に設けられて撮影開口２５を閉塞する閉塞位置と開放する開放位置に移動自在の開口部カバー３１を設けたが、これに代えて、図９に示すように、撮影開口を閉塞する開口部カバー７５を設けてもよい。
【００４８】
閉塞カバー７５は、ガラス、プラスチックなどの透明な材質で形成されており、カメラボディ５の内側から撮影開口２５に嵌め込まれて固定されている。これにより、カメラボディ５の内部は密閉された状態となっている。また、閉塞カバー７５は、レンズユニット６側から開口部カバー７５を押圧しても撓むことや、破損することのない堅牢な厚さを有している。そのため、レンズユニット６がカメラボディ５から取り外されても、撮影開口２５から塵埃が侵入することを防止できる。
【００４９】
このように、閉塞カバー７５は、カメラボディ５を密閉しているので、レンズユニット６の交換時に撮影開口２５に水滴などが付着した場合でも、カメラボディ５内に水滴が侵入することを防止できる。また、開口部カバー７５の表面に塵埃が付着した場合は、圧縮ガスを吹き付けることや、ブロー付きブラシを用いることで、容易に塵埃を除去することができる。
【００５０】
また、開口部カバー７５を撮影開口２５に嵌め込んで固定したが、これに限らず、開口部カバー７５をカメラボディ５の外側や内側から撮影開口２５を閉塞するように固定してもよい。この時、開口部カバー７５はレンズマウント部８に設けられた接続端子１３とボディマウント部９に設けられた接続端子２３の接続を妨げないように固定される。
【００５１】
なお、本実施形態では、開口部カバー３１を上板３２と下板３３から構成し、上板３２および下板３３を上下方向に移動させて、開口部カバー３１を閉塞位置と開放位置に移動させたが、開口部カバー３１の構成はこれに限らず、開口部カバー３１を左右に移動させる構成や、シャッター機構のように、複数枚の羽を撮影開口２５の中心に向けて開閉させる構成にしてもよい。
【００５２】
また、上記実施形態では、レンズ交換式のカメラとしてデジタルカメラを用いたが、レンズ交換式の銀塩カメラに本発明を用いてもよい。
【図面の簡単な説明】
【００５３】
【図１】本発明を用いたデジタルカメラの外観斜視図である。
【図２】レンズユニットを取り外した状態のデジタルカメラの外観斜視図である。
【図３】開口部カバーが閉塞位置の状態を説明する正面図である。
【図４】開口部カバーが開放位置の状態を説明する正面図である。
【図５】切替スイッチを備えたデジタルカメラの外観斜視図である。
【図６】駆動モータにより開口部カバーが閉塞位置にした状態を示す正面図である。
【図７】駆動モータにより開口部カバーを開放位置にした状態を示す正面図である。
【図８】駆動モータにより開口部カバーを移動させる際の電気的構成を説明するブロック図である。
【図９】撮影開口に開口部カバーを固定したデジタルカメラの外観斜視図である。
【符号の説明】
【００５４】
２  デジタルカメラ
５  カメラボディ
６  レンズユニット
８  レンズマウント部
９  ボディマウント部
２５  撮影開口
３１  開口部カバー
【図１】
2008015017.tif 000003
【図２】
2008015017.tif 000004
【図３】
2008015017.tif 000005
【図４】
2008015017.tif 000006
【図５】
2008015017.tif 000007
【図６】
2008015017.tif 000008
【図７】
2008015017.tif 000009
【図８】
2008015017.tif 000010
【図９】
2008015017.tif 000011